(57)【要約】【課題】本発明は、金属クリップ着脱具の先端部が挿入できる開口部を有する金属クリップの着脱具を提供することを課題とする。【解決手段】全体が一直線になるように、略四角形の板状の弾性素材の両端に、それぞれ板状の金属片が固定され、当該板状の金属片の他の先端は幅が若干狭くなっており、その板状の金属片の幅は金属クリップに設けられた開口部の幅より広く、その先端の幅が若干狭くなっている部分の幅は金属クリップに設けられた開口部の幅より狭い構成とした。【選択図】図３
2015003392.tif 000002
【特許請求の範囲】
【請求項１】
全体が一直線になるように、略四角形の板状の弾性素材の両端に、それぞれ板状の金属片が固定され、当該板状の金属片の他の先端は幅が若干狭くなっており、その板状の金属片の幅は金属クリップに設けられた開口部の幅より広く、その先端の幅が若干狭くなっている部分の幅は金属クリップに設けられた開口部の幅より狭い、金属クリップ着脱具。
【請求項２】
板状の金属片の先端の幅が若干狭くなっている部分に横方向に微小な溝が形成されていることを特徴とする請求項1に記載された金属クリップ着脱具。
【請求項３】
板状の金属片の先端の幅が若干狭くなっている部分がゴム・シリコーン等で覆われていることを特徴とする請求項1に記載された金属クリップ着脱具。
【請求項４】
板状の金属片の先端の幅が若干狭くなっている部分の先端が湾曲していることを特徴とする請求項1に記載された金属クリップ着脱具。
【請求項５】
請求項1乃至４のいずれか一項に記載された金属クリップ着脱具であって、略四角形の板状の弾性素材がＵ字状に湾曲している金属クリップ着脱具。
【発明の詳細な説明】
【技術分野】
【０００１】
この発明は、金属クリップ着脱具の先端部が挿入できる開口部を有する金属クリップの着脱具に関する。
【背景技術】
【０００２】
紙片などを複数枚束ねた状態に保持するためのクリップとして、略四角形の金属板をその中間部で曲折することによって互いに対向する両端部同士を相互に近接させる向きの弾発力が常時作用するようにするとともに、外向の反り返り部をその両端縁に形成し、その反り返り部が両側に耳状に突出している金属クリップが知られている。
【０００３】
本願出願人は、上記クリップに開口部を設けた図１の金属クリップを考案した。
【０００４】
また、本願出願人は、略四角形の金属板をその中間部で曲折することによって互いに対向する両端部同士を相互に近接させる向きの弾発力が常時作用するようにするとともに、その両端縁を外向きに折り返した金属クリップであって、両方の折り返し部の中央に開口部を、両方の折り返し部の先端の中央に切り欠き部をそれぞれ設け、その切り欠き部を通り前記開口部をへら状の金属片が貫通することが可能な図２の金属クリップを考案した。
【０００５】
これらの金属クリップのための簡易な構造で使いやすい着脱具が求められるところである。
【０００６】
このように、新たに考案した金属クリップのための着脱具であり、記載すべき先行技術文献情報はない。
【発明の概要】
【発明が解決しようとする課題】
【０００７】
図１及び図２のような金属クリップを容易に着脱でき、しかも構造が簡易である、着脱具を提供することを課題とする。
【課題を解決するための手段】
【０００８】
上記の課題を解決するために、本発明（請求項１）の金属クリップ着脱具は、全体が一直線になるように、略四角形の板状の弾性素材の両端に、それぞれ板状の金属片が固定され、当該板状の金属片の他の先端は幅が若干狭くなっており、その板状の金属片の幅は金属クリップに設けられた開口部の幅より広く、その先端の幅が若干狭くなっている部分の幅は金属クリップに設けられた開口部の幅より狭い構成とした。
【０００９】
本発明（請求項２）の金属クリップ着脱具は、全体が一直線になるように、略四角形の板状の弾性素材の両端に、それぞれ板状の金属片が固定され、当該板状の金属片の他の先端は幅が若干狭くなっており、その若干狭くなっている部分に横方向に微小な溝が形成されている構成とした。
【００１０】
本発明（請求項３）の金属クリップ着脱具は、全体が一直線になるように、略四角形の板状の弾性素材の両端に、それぞれ板状の金属片が固定され、当該板状の金属片の他の先端は幅が若干狭くなっており、その若干狭くなっている部分がゴム・シリコーン等で覆われている構成とした。
【００１１】
本発明（請求項４）の金属クリップ着脱具は、全体が一直線になるように、略四角形の板状の弾性素材の両端に、それぞれ板状の金属片が固定され、当該板状の金属片の他の先端は幅が若干狭くなっており、その若干狭くなっている部分の先端が湾曲している構成とした。
【００１２】
本発明（請求項５）の金属クリップ着脱具は、上記の各項に記載の板状の弾性素材が予めＵ字状に湾曲している構成とした。
【発明の効果】
【００１３】
本発明の金属クリップ着脱具を使用すれば、図１又は図２のような金属クリップを容易に着脱することができる。
【図面の簡単な説明】
【００１４】
【図１】金属クリップＡの斜視図
【図２】金属クリップＢの斜視図
【図３】本発明（請求項１）の金属クリップ着脱具の斜視図
【図４】本発明（請求項２）の金属クリップ着脱具の先端部の斜視図
【図５】本発明（請求項３）の金属クリップ着脱具の先端部の斜視図
【図６】本発明（請求項４）の金属クリップ着脱具の先端部の斜視図
【図７】本発明（請求項５）の金属クリップ着脱具の実施例の斜視図
【図８】本発明の金属クリップ着脱具の使用法を示す斜視図
【図９】書類束を挟持していない状態の金属クリップに本発明の金属クリップ着脱具を挿入した状態の断面図
【図１０】書類束を挟持している金属クリップに本発明の金属クリップ着脱具を挿入した状態の断面図
【図１１】図１０の状態から本発明のクリップ着脱具の金属部の弾性素材部に近い部分を指先で押圧し、クリップの先端部を拡開した状態の断面図
【発明を実施するための形態】
【００１５】
発明を実施するための形態は、図３から図７までのとおりである。
【００１６】
本発明の金属クリップ着脱具を使用するときには、２つの先端部７を金属クリップの２つの開口部８にそれぞれ挿入し、２つの金属部６の弾性素材部５に近い部分を指先で上下から押圧して金属クリップの先端部を拡開する。
【００１７】
先端部７だけが開口部８に挿入できるように金属部６の幅と先端部７の幅を設定する。
【００１８】
先端部７に溝を設けたり、先端部７をゴム・シリコーン等で覆ったり、あるいは、先端部７の先端を外側に湾曲させると、作業中に不用意に先端部７が開口部８から外れることを防ぐことができる。
【符号の説明】
【００１９】
１    金属クリップＡ
２    金属クリップＢ
３    金属クリップ着脱具の実施例１
４    金属クリップ着脱具の実施例２
５    弾性素材部
６    金属部
７    先端部
８    開口部
９    溝形成部
１０    ゴム・シリコーン等被覆部
１１    湾曲部
【図１】
2015003392.tif 000003
【図２】
2015003392.tif 000004
【図３】
2015003392.tif 000005
【図４】
2015003392.tif 000006
【図５】
2015003392.tif 000007
【図６】
2015003392.tif 000008
【図７】
2015003392.tif 000009
【図８】
2015003392.tif 000010
【図９】
2015003392.tif 000011
【図１０】
2015003392.tif 000012
【図１１】
2015003392.tif 000013